(57)【特許請求の範囲】
【請求項１】
面格子体と上部取付具と下部取付具を備え、外壁の窓開口部におけるサッシ窓よりも室外寄りに取付けた面格子であって、
前記上部取付具は、窓開口部に固着される第１ブラケットと面格子体に固着される第２ブラケットを、上の連結ボルトで室内外側方向に回動及び固定可能に連結され、面格子体が窓開口部内の取付位置と室外側突出位置に回動自在とした形態で、
前記下部取付具は、窓開口部に固着される第１ブラケットと面格子体に固着される第２ブラケットを下の連結ボルトで着脱自在に連結した形態で、
前記面格子体の側面と窓開口部との間に工具が挿通可能な隙間を有し、
前記上下の連結ボルトの締付け弛め操作部は窓開口部と対向し、かつ前記隙間を挿通した工具で締付け、弛め操作できるようにし、
前記上部取付具の第１ブラケットと第２ブラケットは相対的に上下方向に移動可能で、
下部取付具の下の連結ボルトは第２ブラケットに取付けられ、第１ブラケットは下の連結ボルトが嵌まり合う上面に開口した切欠き穴を有し、前記上の連結ボルトの締付け弛め操作部と窓開口部との間の寸法は、その上の連結ボルトの有効螺合長さよりも短いことを特徴とする面格子。
【発明の詳細な説明】
【０００１】
【発明の属する技術分野】
本発明は、建物の外壁に取付けられ、窓開口部から室外の人が室人に侵入することを防止する面格子に関する。
【０００２】
【従来の技術】
建物の窓開口部におけるサッシ窓よりも室外寄りに面格子を取付けた場合には、外壁の室外側面よりも面格子の室内側面が室内寄りに位置するので、面格子を取付けた状態でサッシ窓の網戸を室外側から取外すことができない。
このために、網戸が損傷などして交換する場合には室内側から行なうことになるが、サッシ窓の網戸を室内側から取り外しする場合にはサッシ窓の障子を全て外さなければならない。
よって、網戸を業者が交換する場合は、室内に入らなければならないため居住者の留守時には交換できなかったり、室内が汚れたり、また集合住宅において何軒も一斉に網戸交換する場合には何回も室内に出入りするので効率が悪く時間がかかる。
また、住人が個人的に網戸を交換する場合においても、障子を全て外さなければならないため、複層ガラスなど重量の重い障子の場合、女性やお年寄りは１人で交換することが困難であった。
【０００３】
前述のことを解消するために、面格子を室外側に移動可能とし、外壁の室外側面と面格子の室内側面との間に網戸が通る空間を形成できるようにした面格子が種々提案されている。
例えば、特開平１０−２０５２３９号公報に示す面格子が提案されている。
この面格子は、前記公報の図３に示すように外壁の窓開口部の上部と下部に取付金具をそれぞれ取付け、面格子体上部を上の取付金具に回動かつ固定可能に連結し、面格子体下部を下の取付金具の長孔に沿って移動及び固定可能に連結している。
また、前記公報の図４に示すように、取付金具を揺動及び固定可能に取付け、この固定金具の長孔に沿って面格子体を移動及び固定可能に連結している。
また、前記公報の図５に示すように、取付金具をリンク形状とし、外壁と面格子体に回動及び固定可能に連結している。
【０００４】
【発明が解決しようとする課題】
前述の面格子においては、ナットを弛め、締付けることで面格子体を回動かつ固定可能、揺動及び固定可能、移動及び固定可能、回動及び固定可能としているが、そのナットの弛め・締付けを具体的にどのように行なうのかが記載されていない。
すなわち、室外側から網戸を取外して交換などするので、前述のナットを室外側から弛め・締付け操作できるようにすることが必要であるが、前述した公報には、そのようなことが具体的な記載されていない。
【０００５】
そこで、本発明は、室外側から操作することで面格子体を室外側突出位置に回動可能な状態としたり、窓開口部内の取付位置で固定できるようにした面格子を提供することを目的とする。
【０００６】
【課題を解決するための手段】
本発明は、面格子体と上部取付具と下部取付具を備え、外壁の窓開口部におけるサッシ窓よりも室外寄りに取付けた面格子であって、
前記上部取付具は、窓開口部に固着される第１ブラケットと面格子体に固着される第２ブラケットを、上の連結ボルトで室内外側方向に回動及び固定可能に連結され、面格子体が窓開口部内の取付位置と室外側突出位置に回動自在とした形態で、
前記下部取付具は、窓開口部に固着される第１ブラケットと面格子体に固着される第２ブラケットを下の連結ボルトで着脱自在に連結した形態で、
前記面格子体の側面と窓開口部との間に工具が挿通可能な隙間を有し、
前記上下の連結ボルトの締付け弛め操作部は窓開口部と対向し、かつ前記隙間を挿通した工具で締付け、弛め操作できるようにし、
前記上部取付具の第１ブラケットと第２ブラケットは相対的に上下方向に移動可能で、
下部取付具の下の連結ボルトは第２ブラケットに取付けられ、第１ブラケットは下の連結ボルトが嵌まり合う上面に開口した切欠き穴を有し、前記上の連結ボルトの締付け弛め操作部と窓開口部との間の寸法は、その上の連結ボルトの有効螺合長さよりも短いことを特徴とする面格子である。
【００１０】
【作用】
本発明によれば、室外側から工具を窓開口部と面格子体の側面との間の隙間に挿入することで、上下の連結ボルトを締付け、弛め操作できる。
上下の連結ボルトを弛めることで、面格子体を室外側突出位置に回動できるから、室外側から網戸を取外しできる。
上下の連結ボルトを締付けることで、面格子体を窓開口部内の取付位置に固定することができる。
したがって、室外側から操作することで面格子体を室外側突出位置に回動可能な状態としたり、窓開口部内の取付位置で固定でき、室外側から容易に網戸を取外して交換することが可能である。
【００１１】
また、下の連結ボルトを下部取付具の第１ブラケットの切欠き穴に嵌め込むことで、面格子体に室内外側方向の外力が作用した時に面格子体が室内外側方向に動かないように支持できる。
【００１２】
また、上の連結ボルトをある程度弛めると窓開口部に干渉し、それ以上弛めることができない。
したがって、上部取付具の第１ブラケットと第２ブラケットを室外側から分離できないので、防犯性を損なうことがない。
【００１４】
【発明の実施の形態】
図１に示すように、外壁１の窓開口部２内におけるサッシ窓よりも室外寄りに面格子３が取付けてある。
この面格子３は面格子体４と、この面格子体４の上部に取付けた上部取付具５と、面格子体４の下部に取付けた下取付金具６を備え、上部取付金具５が窓開口部２内の上部に取付けられ、下部取付金具６が窓開口部２内の下部に取付けてある。
前記窓開口部２と面格子体４の外周面とは離隔し、両者の間に工具挿入用の隙間７を形成している。
前記面格子体４は上枠８と下枠９と左右の縦枠１０を方形枠組みした枠体１１と、この枠体１１に取付けた複数の格子１２を備えている。面格子体４はこの形状に限ることはなく、任意の形状とすることができる。例えば、複数の格子を上横棧と下横棧で連結した面格子とすることができる。
【００１５】
前記サッシ窓１３は図２、図３に示すように、サッシ枠１４に内障子１５と外障子１６を引き違いに装着した引き違いサッシ窓で、そのサッシ枠１４の室外寄りに網戸１７が着脱自在に装着してある。
前記面格子体４の室外側面４ａは外壁１の室外側面１ａと略面一で、その面格子体４の室内側面４ｂは外壁１の室外側面１ａよりも室内寄りである。
このようであるから、網戸１７をサッシ枠１４から外しても窓開口部２内から室外側に取外しできない。
【００１６】
前記上部取付具５は図２、図３に示すように、第１ブラケット２０と第２ブラケット２１を上の連結ボルト２２で連結し、その連結ボルト２２を弛めると第１ブラケット２０と第２ブラケット２１は室内外側方向に回動自在で、連結ボルト２２を締付けると第１ブラケット２０と第２ブラケット２１は回動しないように固定される。
前記第１ブラケット２０が窓開口部２の上部に固着部材、例えばボルト２３で取付けられる。第２ブラケット２１が面格子体４の上部、例えば縦枠１０の室内側面１０ａにおける上部にビス２４で取付けられる。第２ブラケット２１は上枠８に取付けても良い。
前記連結ボルト２２の締付け弛め操作部、例えば頭部２２ａは、前記窓開口部２と面格子体４の側面、例えば縦枠１０の外側面１０ｂとの間の隙間７と対向し、図４に示すように室外側より目視できると共に、その隙間７から工具Ａを挿入することで連結ボルト２２を締付け、弛め操作できるようにしてある。
【００１７】
前記上の連結ボルト２２の頭部２２ａと窓開口部２との間の寸法は連結ボルト２２の有効螺合長さよりも短かく、前述のように室外側から工具Ａで連結ボルト２２を弛めると、その頭部２２ａが窓開口部２に干渉し、連結ボルト２２を完全に弛めて第１ブラケット２０と第２ブラケット２１を分離できない。
よって、面格子体４を室外側から取り外しできないので、防犯性を損なうことがない。
【００１８】
前記下部取付具６は図２、図３に示すように、第１ブラケット３０と第２ブラケット３１を下の連結ボルト３２で着脱自在に連結し、その連結ボルト３２を弛めると第１ブラケット３０と第２ブラケット３１が分離し、連結ボルト３２を締付けると第１ブラケット３０と第２ブラケット３１は固定される。
前記第１ブラケット３０が窓開口部２の下部に固着部材、例えばボルト３３で取付けられる。第２ブラケット３１が面格子体４の下部、例えば縦枠１０の室内側面１０ａにおける下部にビス３４で取付けられる。この第２ブラケット３１は下枠９に取付けても良い。
前記下の連結ボルト３２の締付け弛め操作部、例えば頭部３２ａは、前記窓開口部２と面格子体４の側面、例えば縦枠１０の外側面１０ｂとの間の隙間７と対向し、図４に示すように室外側より目視できると共に、その隙間７から工具Ａを挿入することで連結ボルト３２を締付け、弛め操作できるようにしてある。
【００１９】
このようであるから、室外側から工具Ａを用いて各連結ボルト２２，３２を容易に締付け、弛めることができる。
前述の連結ボルト２２，３２を弛めることで、面格子体４を連結ボルト２２を支点として室外側に回動し、面格子体４を図３に仮想線で示すように室外側突出位置とすることができる。
前記面格子体４が室外側突出位置であると、その面格子体４の室内側面４ｂと外壁１の室外側面１ａとの間に空間１８が形成される。この空間１８は網戸１７が挿通する大きさである。
また、面格子体４を図３に実線で示す取付け位置に移動し、前述と同様に連結ボルト２２，３２を締付けることで面格子体４は取付け位置で固定される。
【００２０】
次に上部取付具５、下部取付具６の具体形状の一例を説明する。
前記上部取付具５の第１ブラケット２０は、図５に示すように一側片２５と連結片２６と他側片２７でほぼクランク形状で、その一側片２５の孔２５ａからボルト２３を挿入して窓開口部２に固着する。
前記他側片２７には上下方向の長孔２７ａが形成してある。
第２ブラケット２１は一側片２８と他側片２９で鉤形状で、その一側片２８にねじ孔２８ａ、他側片２９に長孔２９ａがそれぞれ形成してある。
前記他側片２９が長孔２９ａを挿通したビス２４で縦枠１０に固着される。
上の連結ボルト２２は第１ブラケット２０の他側片２７の長孔２７ａから第２ブラケット２１の一側片２８のねじ孔２８ａに螺合される。
このようであるから、第１ブラケット２０と第２ブラケット２１は連結ボルト２２を弛めることで上下方向に移動可能である。
【００２１】
前記下部取付具６の第１ブラケット３０は図６に示すように、一側片３５と連結片３６と他側片３７でほぼクランク形状で、その一側片３５の孔３５ａからボルト３３を窓開口部２に螺合して固着される。
前記他側片３７には上端面に開口した切欠き穴３７ａが形成されている。
前記第２ブラケット３１は一側片３８と他側片３９で鉤形状で、その一側片３８にねじ孔３８ａが形成され、他側片３９に長孔３９ａが形成してある。その長孔３９ａからビス３４を縦枠１０に螺合して第２ブラケット３１が固着される。
【００２２】
前記下の連結ボルト３２は切欠き穴３７ａ内に上下動自在に嵌まり合い、ねじ孔３８ａに螺合している。
これによって、面格子体４とともに第２ブラケット３１を上方に移動すると連結ボルト３２が切欠き穴３７ａから外れ、第１ブラケット３０と第２ブラケット３１が分離する。この時、上の連結ボルト２２は長孔２７ａに沿って上方に移動する。
前述の状態から面格子体４とともに第２ブラケット３１を下方に移動すると下の連結ボルト３２が切欠き穴３７ａに嵌まり合う。
この状態で、面格子体４とともに第２ブラケット３１に室内外側方向の力が作用しても下の連結ボルト３２が切欠き穴３７ａに嵌まり合っているので、第２ブラケット３１が第１ブラケット３０に対して室内外側方向に動くことはない。
【００２３】
前記第１ブラケット３０の他側片３７に第１リンク４０の一端部が室内外側方向に回動自在に連結され、第２ブラケット３１の一側片３８に第２リンク４１の一端部が室内外側方向に回動自在に連結されている。
前記第１リンク４０の他端部と第２リンク４１の他端部は室内外側方向に回動自在で、かつ長手方向に所定ストローク移動自在に連結されている。
例えば、第１リンク４０の他端寄りに長手方向の長孔４２が形成され、第２リンク４１の他端部に取付けたピン４３が長孔４２に回動自在で、かつ摺動自在に嵌まり合っている。
【００２４】
面格子体４が取付け位置の時には図３に示すように第１リンク４０と第２リンク４１はほぼＶ字状となり、ピン４３が長孔４２の下部に位置する。
よって、前述のように面格子体４を上方に移動する時には、ピン４３が長孔４２に沿って上方に移動する。
面格子体４を室外側突出位置に回動した時には図７に示すように、第１リンク４０と第２リンク４１がほぼ一直線状となり、面格子体４の最大移動量（最大回動角度）を規制する。
これによって、外壁１の室外側面１ａと面格子体４の室内側面４ｂとの間の空間１８の最大寸法を網戸１７は通過するが人は通過できない大きさ、例えば１００ｍｍ程度に規制する。つまり、第１リンク４０と第２リンク４１でストッパ手段を形成している。
したがって、防犯性を損なうことがない。
【００２５】
次に、網戸１７を室外側から取外しする手順を説明する。
室外側から工具Ａを隙間７に挿入して上下の連結ボルト２２，３２を弛める。
面格子体４を持って上に移動して下の連結ボルト３２を切欠き穴３７ａから上方に抜き出しする。この時、上の連結ボルト２２は長孔２７ａに沿って上方に移動し、第２リンク４１はピン４３が第１リンク４０の長孔４２に沿って上方に移動する。
上の連結ボルト２２を中心として面格子体４を室外側に回動し、室外側突出位置とする。
この状態で空間１８から網戸１７を室外側に取り出す。
この時、外壁１の室外側面１ａと面格子体４の室内側面４ｂとの間にスペーサ部材を介在して面格子体４を室外側突出位置に保持する。または、人が手で面格子体４を室外側突出位置に保持しながら網戸１７を取り出し、挿入する。
なお、第１リンク４０の長孔４２にピン４３が係合する係止凹部を形成したり、第２リンク４１にストッパ片を設けて第１リンク４０と第２リンク４１が図７に示すほぼ一直線状に保持できるようにしても良い。
【００２６】
前記ストッパ手段は、上部取付具５の第１ブラケット２０に第２ブラケット２１が干渉してその回動角度を規制するボルト、突起などを設けたものとしても良い。
【００２７】
【発明の効果】
請求項１に係る発明によれば、室外側から工具を窓開口部と面格子体の側面との間の隙間に挿入することで、上下の連結ボルトを締付け、弛め操作できる。
上下の連結ボルトを弛めることで、面格子体を室外側突出位置に回動できるから、室外側から網戸を取外しできる。
上下の連結ボルトを締付けることで、面格子体を窓開口部内の取付位置に固定することができる。
したがって、室外側から操作することで面格子体を室外側突出位置に回動可能な状態としたり、窓開口部内の取付位置で固定でき、室外側から容易に網戸を取外して交換することが可能である。
【００２８】
また、下の連結ボルトを下部取付具の第１ブラケットの切欠き穴に嵌め込むことで、面格子体に室内外側方向の外力が作用した時に面格子体が室内外側方向に動かないように支持できる。
【００２９】
また、上の連結ボルトをある程度弛めると窓開口部に干渉し、それ以上弛めることができない。
したがって、上部取付具の第１ブラケットと第２ブラケットを室外側から分離できないので、防犯性を損なうことがない。
【図面の簡単な説明】
【図１】面格子の取付け状態の概略外観図である。
【図２】図１のＢ−Ｂ詳細断面図である。
【図３】図１のＣ−Ｃ詳細断面図である。
【図４】上部取付具、下部取付具の部分の詳細外観図である。
【図５】上部取付具の分解斜視図である。
【図６】下部取付具の分解斜視図である。
【図７】面格子体を室外側突出位置とした状態の下部説明図である。
【符号の説明】
１…外壁、１ａ…室外側面、２…窓開口部、３…面格子、４…面格子体、４ｂ…室内側面、５…上部取付具、６…下部取付具、７…隙間、１８…空間、２０…第１ブラケット、２１…第２ブラケット、２２…上の連結ボルト、２２ａ…頭部（締付け弛め操作部）、２７ａ…長孔、３０…第１ブラケット、３１…第２ブラケット、３２…下の連結ボルト、３２ａ…頭部（締付け弛め操作部）、３７ａ…切欠き穴、４０…第１リンク、４１…第２リンク、４２…長孔、４３…ピン。
【図１】
0003750079.tif 000002
【図２】
0003750079.tif 000003
【図３】
0003750079.tif 000004
【図４】
0003750079.tif 000005
【図５】
0003750079.tif 000006
【図６】
0003750079.tif 000007
【図７】
0003750079.tif 000008